(57)【特許請求の範囲】
【請求項１】
箱状で内部に両吸込型ファンケーシングを有したシロッコ型ファンモータを設けた送風機本体と、この送風機本体の吸込側に設けられる吸込側消音接続口と、前記送風機本体の吐出側に前記両吸込型ファンケーシングの吐出口と連通し設けられる吐出側接続口とを備え、前記送風機本体と吸込側消音接続口の内面に消音材を設けた送風機であって、吸込側消音接続口を送風機本体の内面に向かい順次径大となる傾斜面で形成し、
前記吸込側消音接続口内に吸い込まれた空気が前記傾斜面に沿い、前記送風機本体内に拡がりながら流れ込み、前記両吸込型ファンケーシングの両側より吸い込まれる構成とした
ことを特徴とする送風機。
【請求項２】
断面が送風機本体とほぼ同形状で内面に消音材を設け、一方に吸込側接続口を有し、他方が前記送風機本体の吸込側に接続されるサイレンサーを設けた請求項１記載の送風機。
【請求項３】
両吸込型ファンケーシングの外面に消音材を設けた請求項１または２記載の送風機。
【発明の詳細な説明】
【０００１】
【発明の属する技術分野】
本発明は、天井裏に設置され、室内の汚染された空気等を吸込み室外に排出する送風機に関する。
【０００２】
【従来の技術】
従来、この種の送風機として図６および図７に示すものが知られていた。以下、その送風機について図６および図７を参照しながら説明する。
【０００３】
図に示すように、内面に消音材１０１を設けた箱状で内部に両吸込型ファンケーシング１０２を有したシロッコ型ファンモータ１０３を設け送風機本体１０４を形成し、吸込側には吸込側接続口１０５を設け、吐出側には両吸込型ファンケーシング１０２の吐出口１０６に連通する吐出側接続口１０７を設け、送風機本体１０４を天井裏１０８内に吊り下げ、吸込側接続口１０５に室内１０９に連通する吸込側ダクト１１０を接続し、吐出側接続口１０７には室外１１１に連通する吐出側ダクト１１２を接続する。
【０００４】
そして、シロッコ型ファンモータ１０３を運転することにより、室内１０９の空気を吸込側ダクト１１０を介して送風機本体１０４内に吸込み、シロッコ型ファンモータ１０３により吐出側接続口１０７に接続された吐出側ダクト１１２を介して室外１１１に排出していた。
【０００５】
一方、シロッコ型ファンモータ１０３により発生した騒音は送風機本体１０４の内面に設けた消音材１０１により減音され、室内１０９に吸込側ダクト１１０を介して伝達される騒音を緩和していた。
【０００６】
【発明が解決しようとする課題】
このような従来の送風機では、消音効果を高めるため、消音材１０１を設ける送風機本体１０４の長さを長くする必要があるとともに、重量も重くなって施工性も悪く、コスト高にもなるという課題があり、送風機本体１０４の長さが短く軽量で施工性が良く、コストの安い送風機にすることが要求されている。
【０００７】
また、吸込側接続口１０５から送風機本体１０４に向かい通風路が急激に拡大することによる風量低下、騒音発生、効率悪化が発生するという課題があり、吸込側接続口１０５から送風機本体１０４に向かう通風路の急激な拡大をなくし、風量低下、騒音発生、効率悪化の発生を防止できる送風機にすることが要求されている。
【０００８】
本発明は、このような従来の課題を解決するもので、送風機本体の長さが短く、軽量で施工性が良く、コストを安くすることができ、また、風量低下、騒音発生、効率悪化の発生を防止できる送風機を提供することを目的としている。
【０００９】
【課題を解決するための手段】
本発明の送風機は、上記目的を達成するために、送風機本体と吸込側消音接続口の内面に消音材を設けたものである。
【００１０】
本発明によれば、送風機本体の長さを短く形成でき、軽量で施工性が良くなりコストを安くすることができる送風機が得られる。
【００１１】
また、他の手段は、吸込側接続口を送風機本体の内面に向かい順次径大となる傾斜面で形成し、消音材を設けたものである。
【００１２】
そして、本発明によれば、風量低下、騒音発生、効率悪化の発生を防止できる送風機が得られる。
【００１３】
【発明の実施の形態】
本発明は、箱状で内部に両吸込型ファンケーシングを有したシロッコ型ファンモータを設けた送風機本体と、この送風機本体の吸込側に設けられる吸込側消音接続口と、前記送風機本体の吐出側に前記両吸込型ファンケーシングの吐出口と連通し設けられる吐出側接続口とを備え、前記送風機本体と吸込側消音接続口の内面に消音材を設けた送風機であって、吸込側消音接続口を送風機本体の内面に向かい順次径大となる傾斜面で形成し、前記吸込側消音接続口内に吸い込まれた空気が前記傾斜面に沿い、前記送風機本体内に拡がりながら流れ込み、前記両吸込型ファンケーシングの両側より吸い込まれる構成としたものであり、シロッコ型ファンモータで発生した騒音は送風機本体の内面に設けた消音材に加え、吸込側消音接続口の内面に設けた消音材により減音されることとなるので、送風機本体の全長を短くすることが可能となり、軽量で施工性を良くすることができ、また、吸込側消音接続口から吸い込まれる空気傾斜面に沿いスムーズに送風機本体内に吸い込まれ、風量低下、騒音発生の防止が図られ、効率を良くすることができるという作用を有する。
【００１５】
以下、本発明の実施例について図面を参照しながら説明する。
【００１６】
【実施例】
（実施例１）
図１および図２に示すように、内面にグラスウール等からなる消音材１を設けた箱状で、内部に両吸込型ファンケーシング２を有したシロッコ型ファンモータ３を設け送風機本体４を形成し、送風機本体４の吸込側に内面に消音材５を設けた吸込側消音接続口６を設け、吐出側には両吸込型ファンケーシング２の吐出口７に連通するように吐出側接続口８を設け、送風機本体４を天井裏９内に吊り下げて設け、吸込側消音接続口６に室内１０と連通する吸込側ダクト１１を接続し、吐出側接続口８には室外１２と連通する吐出側ダクト１３を接続して構成する。
【００１７】
上記構成において、シロッコ型ファンモータ３を運転すると、室内１０の空気を吸込側ダクト１１を介して送風機本体４内に吸い込み、両吸込型ファンケーシング２の両側よりシロッコ型ファンモータ３に吸い込まれた空気は吐出側接続口８を経て吐出側ダクト１３を通り室外１２に排出される。
【００１８】
そして、シロッコ型ファンモータ３により発生した騒音は室内１０に伝達される過程において、まずは送風機本体４内面に設けた消音材１により減音され、更に吸込側消音接続口６内面に設けた消音材５により減音されて吸込側ダクト１１を通り室内１０に伝わることとなり、吸込側消音接続口６に設けた消音材５により減音される分だけ減音効果が高まるので、送風機本体４内に設けられる消音材１を減少させることが可能となり、送風機本体４の全体の長さを短くすることができ、短くなることにより重量が軽減され施工性も良くなると共に、コストも安くなることとなる。
【００１９】
（実施例２）
図３に示すように、吸込側消音接続口６Ａを送風機本体４Ａの内面に向かい順次径大となる傾斜面１４で形成し、内面に消音材５Ａを設け構成する。
【００２０】
上記構成において、シロッコ型ファンモータ３を運転すると、吸込側消音接続口６Ａ内に吸い込まれた空気は吸込側消音接続口６Ａを形成する傾斜面１４に沿い順次送風機本体４Ａ内に拡がりながら流れ込み両吸込型ファンケーシング２の両側よりシロッコ型ファンモータ３に吸い込まれ吐出側接続口８より排出されることとなり、吸込側消音接続口６Ａから送風機本体４Ａ内に流入する空気の流れがスムーズになって風量低下、騒音発生が防止され効率が良くなる。
【００２１】
また、シロッコ型ファンモータ３により発生した騒音は室内に伝達される過程において、まず、送風機本体４Ａの内面に設けた消音材１により減音され、更に吸込側消音接続口６Ａを送風機本体４Ａの内面に向かい順次径大となる傾斜面１４で形成することにより、同径で形成した場合と比較して消音材５Ａの有効面積が増加することとなり、消音効果が更に高められることとなる。
【００２２】
（実施例３）
図４に示すように、断面が送風機本体４Ａとほぼ同形状で内面に消音材１５を設け、一方に吸込側接続口１６を有し、他方が送風機本体４Ａの吸込側に接続されるサイレンサー１７を設け構成する。
【００２３】
上記構成において、シロッコ型ファンモータ３を運転すると、サイレンサー１７に設けた吸込側接続口１６から室内側の空気が吸い込まれ、サイレンサー１７内を通り吸込側消音接続口６Ａより送風機本体４Ａ内に吸い込まれ、両吸込型ファンケーシング２の両側よりシロッコ型ファンモータ３に吸い込まれた空気は吐出側接続口８より室外側に排出されることとなる。
【００２４】
一方、シロッコ型ファンモータ３により発生した騒音は室内側に伝達される過程において、まず、送風機本体４Ａの内面に設けた消音材１により減音されたのち、吸込側消音接続口６Ａ内を通るときに消音材５Ａにより減音され、更にサイレンサー１７の消音材１５により減音されることとなり、全体の長さは従来例とほぼ同等となるが、従来例に比較して低騒音化を図ることができる。
【００２５】
なお、実施例３においては、実施例２の送風機を用いて説明したが、実施例１の送風機を用いても同様の作用効果をもたらすことはいうまでもない。
【００２６】
（実施例４）
図５に示すように、両吸込型ファンケーシング２Ａの外面に消音材１８を設け構成する。
【００２７】
上記構成において、室内側の空気の排出時には実施例１と同様の作用により行われる。
【００２８】
一方、シロッコ型ファンモータ３により発生した騒音は送風機本体４の内面に設けた消音材１により減音されたのち、両吸込型ファンケーシング２Ａに設けた消音材１８により減音され、更に吸込側消音接続口６の内面に設けた消音材５により減音されて室内側に伝達されることとなり、実施例１に比較して更に消音効果が高まり、送風機本体４の全長を更に短くすることができることとなる。
【００２９】
なお、実施例４では、実施例１の送風機を用いて説明したが、実施例２または実施例３の送風機を用いても良く、その作用効果に差異を生じない。
【００３０】
【発明の効果】
以上の実施例から明らかなように、本発明によれば送風機本体の長さが短く、軽量で施工性が良く、コストを安くすることができる送風機を提供できる。
【００３１】
また、風量低下、騒音発生、効率悪化の発生を防止できる送風機を提供できる。
【図面の簡単な説明】
【図１】本発明の実施例１の送風機の構成を示す断面図
【図２】同送風機の設置状態を示す概略図
【図３】本発明の実施例２の送風機の構成を示す断面図
【図４】本発明の実施例３の送風機の構成を示す断面図
【図５】本発明の実施例４の送風機の構成を示す断面図
【図６】従来の送風機の構成を示す断面図
【図７】同送風機の設置状態を示す概略図
【符号の説明】
１    消音材
２    両吸込型ファンケーシング
２Ａ  両吸込型ファンケーシング
３    シロッコ型ファンモータ
４    送風機本体
４Ａ  送風機本体
５    消音材
５Ａ  消音材
６    吸込側消音接続口
６Ａ  吸込側消音接続口
７    吐出口
８    吐出側接続口
１４    傾斜面
１５    消音材
１６    吸込側接続口
１７    サイレンサー
１８    消音材
【図１】
0003769079.tif 000002
【図２】
0003769079.tif 000003
【図３】
0003769079.tif 000004
【図４】
0003769079.tif 000005
【図５】
0003769079.tif 000006
【図６】
0003769079.tif 000007
【図７】
0003769079.tif 000008